(57)【要約】【課題】ろ布の不要な浄化動作を抑制することのできる、ろ過式集塵器の制御装置を提供する。【解決手段】ろ過式集塵器のろ布（４）によるろ過前後の圧力差を検出するための差圧検出手段（５）と、ろ布でのろ過速度に関する情報を検出する速度検出手段（９）と、ろ布の浄化動作を行う浄化手段（１０，１１）と、浄化手段の駆動を制御する制御手段（２０）とを有する。制御手段は、差圧検出手段及び速度検出手段の検出結果を用いて算出したろ布における圧損係数に基づいて、浄化手段の駆動を制御する。【選択図】図１
2007268465.tif 000002
【特許請求の範囲】
【請求項１】
ろ過式集塵器のろ布によるろ過前後の圧力差を検出するための差圧検出手段と、
前記ろ布でのろ過速度に関する情報を検出する速度検出手段と、
前記ろ布の浄化動作を行う浄化手段と、
前記浄化手段の駆動を制御する制御手段とを有し、
前記制御手段は、前記差圧検出手段及び前記速度検出手段の検出結果を用いて算出した前記ろ布における圧損係数に基づいて、前記浄化手段の駆動を制御することを特徴とするろ過式集塵器の制御装置。
【請求項２】
前記制御手段は、前記圧損係数が、前記ろ布の目詰まり状態に対応する閾値よりも小さい場合には、前記浄化手段の駆動を禁止し、前記圧損係数が前記閾値以上の場合には、前記浄化手段を駆動することを特徴とする請求項１に記載のろ過式集塵器の制御装置。
【請求項３】
前記ろ布は、この表面に、前記ろ過式集塵器内に導かれる排ガスと反応する中和剤を含む層を有することを特徴とする請求項１又は２に記載のろ過式集塵器の制御装置。
【請求項４】
ろ過式集塵器のろ布によるろ過前後の圧力差を検出する差圧検出工程と、
前記ろ布でのろ過速度に関する情報を検出する速度検出工程と、
前記ろ布の浄化動作を制御する制御工程を有し、
前記制御工程において、前記差圧検出工程及び前記速度検出工程での検出結果を用いて算出した前記ろ布における圧損係数に基づいて、前記ろ布の浄化動作を制御することを特徴とするろ過式集塵器の制御方法。
【請求項５】
前記制御工程において、前記圧損係数が、前記ろ布の目詰まり状態に対応する閾値よりも小さい場合には、前記浄化手段の駆動を禁止し、前記圧損係数が前記閾値以上の場合には、前記浄化手段を駆動することを特徴とする請求項４に記載のろ過式集塵器の制御方法。
【発明の詳細な説明】
【技術分野】
【０００１】
本発明は、ろ布を用いて排ガスのろ過を行うろ過式集塵器の制御装置および制御方法に関するものである。
【背景技術】
【０００２】
都市ごみ、産業廃棄物等の可燃性廃棄物の焼却、ガス化、溶融の各種工程から排出される排ガス、スクラップ熔解やアルミ精錬等の各種金属精錬過程で排出される排ガス、さらには各種製造工場、化学工場、発電設備等で排出される排ガスには、ばいじん、ＨＣｌやＳＯｘ等の酸性ガス、窒素酸化物、水銀等の重金属、ダイオキシン類およびその前駆物質等の有機ハロゲン化合物など、さまざまな有害物質が含まれている。
【０００３】
これらの有害成分のうち、ＨＣｌ、ＳＯｘ等の酸性ガスおよびばいじんは、ろ過式集塵器によって処理（回収）されている。
【０００４】
具体的には、上記酸性ガスを中和除去するための中和剤（例えば、消石灰粉や重曹）を、ろ過式集塵器内に供給（噴出）して、ろ過式集塵器内に設けられたろ布によるろ過集塵処理によって、排ガス中のばいじんおよび中和剤を捕集するとともに、中和剤との中和反応により排ガス中の酸性ガスを除去している。なお、ろ過式集塵器内に供給される中和剤は、酸性ガスの除去効率を高めるために、酸性ガスに対して当量比（通常は、２〜３）以上、用いられている。
【０００５】
ろ布の表面には未反応の中和剤と、中和剤及び酸性ガスの反応による反応生成物（ＣａＣｌ２、ＣａＳＯ４等）と、ばいじんとが混合した粉体層（集塵灰）が形成される。この粉体層は、ろ布を振動等させることによって払い落とされる。そして、中和剤をろ過式集塵器内に連続的に供給することにより、排ガスの処理を連続的に行うようにしている（例えば、特許文献１，２参照）。
【０００６】
ここで、従来のろ過式集塵器では、ろ布によるろ過前後の圧力差を監視しており、この圧力差が所定値以上となった場合には、ろ布の浄化動作（粉体層の払い落とし）を行うようにしている。具体的には、ろ過前後の圧力差が所定値以上となったときに、ろ布に対して圧縮空気を噴出することで、ろ布上の粉体層を払い落とすようにしている。
【特許文献１】特開２００３−１０３６号公報
【特許文献２】特開２００４−１６７４４６号公報
【発明の開示】
【発明が解決しようとする課題】
【０００７】
しかしながら、ろ過前後の圧力差に基づいてろ布の浄化動作を行う、従来のろ過式集塵器では、以下に説明する不具合が生じてしまう。
【０００８】
廃棄物の焼却等によって発生する排ガスの量は、焼却等の処理が行われる廃棄物の種類や量等によって大きく変化することがある。すなわち、排ガスに含まれるばいじん等の量は変化しないものの、ろ過式集塵器内に導かれる排ガスの量が大きく変化（具体的には、増加方向に変化）することがある。
【０００９】
このように排ガス量だけが増加した場合には、この変化のタイミングにおいて、ろ過式集塵器のろ過前後における見かけ上の圧力差が増加してしまう。通常の使用状態においては、ろ布での目詰まりに起因して、ろ過前後の圧力差が増加するが、上述したように、ろ過式集塵器に導入される排ガスの量の変化によっても、ろ過前後の圧力差が変化することがある。
【００１０】
ここで、従来のろ過式集塵器では、ろ過前後の圧力差だけを監視しているため、排ガス量の変化によってろ過前後の圧力差が上記所定値に達した場合にも、ろ布の浄化動作を行ってしまうことになる。この場合には、ろ布での目詰まりが発生していないにもかかわらず、ろ布の浄化動作を行ってしまうことになり、不要な浄化動作を行うことになる。
【００１１】
このように不要な浄化動作を行った場合には、ろ布の表面に付着した未反応の中和剤が払い落とされてしまうため、中和剤の使用量が増加してしまうとともに、排ガス中に含まれる酸性ガスを中和剤によって効率良く除去することができなくなってしまう。しかも、浄化動作の回数が増加することで、ろ布の強度が劣化しやすくなるとともに、ろ布の寿命が低下してしまう。
【００１２】
ここで、特許文献１に記載の多室バグフィルタの洗浄方法では、ろ布の浄化動作の回数を少なくして、ろ布の寿命を向上させるようにしている。具体的には、各室での圧力差（ろ過前後の圧力差）を測定し、これらの圧力差の平均値と設定値との比較に基づいて、全室のバグフィルタの洗浄（浄化）を行うようにしている。すなわち、各室での差圧を検出することで、各室のろ布に堆積したダスト量を正確に検出できるようにしている。
【００１３】
しかしながら、特許文献１に記載の構成では、各室の圧力差だけを検出する構成であるため、上述したようにろ過式集塵器内に導かれる排ガスの量が増加した場合には、実際には、ろ布での目詰まりが発生していないにもかかわらず、見かけ上の圧力差が上昇してしまうことがある。そして、このような場合には、ろ布に堆積したダスト量を正確に検知することができないとともに、ろ布の不要な浄化動作を行ってしまうことになる。
【００１４】
また、特許文献１に記載の構成では、複数室に区画されたバグフィルタを用いており、各室の入口側及び出口側における圧力差を測定・検知するための差圧発信器及び差圧検知装置を各室に設けなければならないため、バグフィルタの構成が複雑になるとともに、コストアップしてしまう。
【００１５】
そこで、本発明の目的は、ろ布の不要な浄化動作を抑制することで、ろ過式集塵器内に供給される中和剤（ろ布に付着する中和剤）の消費量を低減しつつ、排ガス中に含まれる酸性ガスの除去効率を向上させることのできる、ろ過式集塵器の制御装置および制御方法を提供することにある。また、ろ布の不要な浄化動作を抑制することで、ろ布の強度劣化を抑制して、ろ布の寿命を向上させることのできる、ろ過式集塵器の制御装置および制御方法を提供することにある。
【課題を解決するための手段】
【００１６】
本願第１の発明であるろ過式集塵器の制御装置は、ろ過式集塵器のろ布によるろ過前後の圧力差を検出するための差圧検出手段と、前記ろ布でのろ過速度に関する情報を検出する速度検出手段と、前記ろ布の浄化動作を行う浄化手段と、前記浄化手段の駆動を制御する制御手段とを有する。そして、前記制御手段は、前記差圧検出手段及び前記速度検出手段の検出結果を用いて算出した前記ろ布における圧損係数に基づいて、前記浄化手段の駆動を制御することを特徴とする。
【００１７】
ここで、前記制御手段は、前記圧損係数が閾値よりも小さい場合には、前記浄化手段の駆動を禁止し、前記圧損係数が前記閾値以上の場合には、前記浄化手段を駆動することができる。
【００１８】
なお、前記ろ布の表面には、前記ろ過式集塵器内に導かれる排ガスと反応する中和剤を含む層が形成される。
【００１９】
本願第２の発明であるろ過式集塵器の制御方法は、ろ過式集塵器のろ布によるろ過前後の圧力差を検出する差圧検出工程と、前記ろ布でのろ過速度に関する情報を検出する速度検出工程と、前記ろ布の浄化動作を制御する制御工程を有する。そして、前記制御工程において、前記差圧検出工程及び前記速度検出工程での検出結果を用いて算出した前記ろ布における圧損係数に基づいて、前記ろ布の浄化動作を制御することを特徴とする。
【００２０】
ここで、前記制御工程において、前記圧損係数が閾値よりも小さい場合には、前記浄化手段の駆動を禁止し、前記圧損係数が前記閾値以上の場合には、前記浄化手段を駆動することができる。
【発明の効果】
【００２１】
本発明によれば、差圧検出手段及び速度検出手段の検出結果を用いて算出された、ろ布における圧損係数を監視することで、圧損係数に対応したろ布の状態（具体的には、ろ布に対する中和剤を含むダストの付着状態）を監視することができる。そして、圧損係数に基づいて浄化手段の駆動を制御することで、ろ布が目詰まり状態となるまで（圧損係数が閾値以上となるまで）、ろ布に中和剤を付着させておくことができる。
【００２２】
このようにろ布に中和剤を付着させておくことで、中和剤と排ガスに含まれる酸性ガスとの反応を促進させることができ、酸性ガスの除去効率を向上させることができる。
【００２３】
また、本発明は、従来のろ過式集塵器のように、ろ布によるろ過前後の圧力差を監視していないため、上述した不具合が発生するのを防止でき、不要な浄化動作に伴うろ布の強度低下を抑制することができる。
【００２４】
また、本発明の制御装置（又は、制御方法）によれば、ろ過式集塵器に設けられた既存の機器だけを用いることが可能であるため、新たな機器を追加する必要がなく、機器の追加に伴う構成の複雑化やコストアップを防止することができる。
【発明を実施するための最良の形態】
【００２５】
以下、本発明の実施例について説明する。
【実施例１】
【００２６】
本実施例におけるろ過式集塵器の構成について、図１を用いて説明する。ここで、図１は、ろ過式集塵器の構成を示す概略図である。
【００２７】
図１において、焼却炉等（不図示）における廃棄物の焼却処理等によって発生した排ガス（未処理ガス）は、導入ダクト２を介してろ過式集塵器１内に供給される。また、サイロ３内の中和剤（例えば、消石灰や重曹）は、空気搬送によって導入ダクト２内に供給（噴出）されるようになっている。これにより、中和剤は、排ガスとともにろ過式集塵器１内に導かれる。
【００２８】
ろ過式集塵器１内には、複数のろ布４が配置されている。ここで、ろ過式集塵器１内に導かれた排ガスが、ろ布４を通過する際に、排ガス中のばいじん及び中和剤は、ろ布４においてろ過集塵される。このろ過集塵の処理において、排ガス中の酸性ガスは、上述したように中和剤との中和反応によって除去される。
【００２９】
このとき、ろ布４の表面には、図２に示すように、未反応の中和剤と、排ガスに含まれるばいじんと、中和剤及び排ガス中に含まれる酸性ガスの反応生成物とが含まれる層（以下、粉体層）４ａが形成される。例えば、図２に示すように、排ガス中に含まれる酸性ガス（ＨＣｌ）は、中和剤としての消石灰（主成分がＣａ（ＯＨ）２）と反応することで、粉体層４ａ中に反応生成物（ＣａＣｌ２）が発生するとともに、ろ布４からＨ２Ｏ（ｇａｓ）が排出される。また、中和剤として重曹（ＮａＨＣＯ３）を用いた場合には、排ガス中の酸性ガス（ＨＣｌ）と反応することで、反応生成物の一部（ＮａＣｌ）が粉体層４ａ中に残るとともに、Ｈ２Ｏ（ｇａｓ）及びＣＯ２（ｇａｓ）がろ布４から排出される。
【００３０】
一方、ろ過式集塵器１には、ろ布４によってろ過集塵される前の排ガスの圧力と、ろ布４によってろ過集塵された後の排ガスの圧力との差（圧力差）を検出するための差圧検出器（差圧検出手段）５が設けられている。この差圧検出器５は、差圧発信器及び差圧計で構成されている。
【００３１】
差圧検出器５で検出された圧力差に関する情報は、制御回路（制御手段）２０に出力される。
【００３２】
ろ布４を通過した排ガス（処理済みのガス）は、ろ過式集塵器１の上部から、排出ダクト６に導かれる。排出ダクト６には、ろ過式集塵器１から排出される排ガス（処理済みのガス）を吸引するための吸引器７が設けられている。
【００３３】
また、排出ダクト６のうち、吸引器７の下流側には、排ガスの量を検出するための排ガス量検出器９が設けられている。排ガス量検出器９で検出された情報は、制御回路２０に出力される。
【００３４】
一方、ろ過式集塵器１には、各ろ布４に対して圧縮空気（０．２〜０．５ＭＰａ）を供給（噴出）するための空気供給管１０が設けられている。具体的には、空気供給管１０は、ろ布４の数に対応した数だけ、圧縮空気を排出させる噴射ノズル１０ａを有しており、各噴射ノズル１０ａは、各ろ布４の配置方向に向けて配置されている。すなわち、噴射ノズル１０ａから排出される圧縮空気によって、ろ布４を振動させて、ろ布４の表面に形成された粉体層を払い落とすようにしている。
【００３５】
ろ布４から払い落とされた粉体（中和剤、反応生成物およびばいじんを含む）は、ろ過式集塵器１の下部に設けられた噴射ノズル１０ａから外部に排出されるようになっている。
【００３６】
空気供給管１０は、空気ヘッダ１２を介して空気圧縮器（不図示）に連結されており、空気圧縮器で圧縮された空気が供給されるようになっている。ここで、空気ヘッダ１２には、複数の空気供給管１０が連結されており（図１では、１つの空気供給管１０だけを示す）、各空気供給管１０における圧縮空気の搬送経路上には、電磁弁１１が設けられている。この電磁弁１１を開閉動作させることによって、噴射ノズル１０ａからろ布４に対する圧縮空気の供給が制御される。
【００３７】
この電磁弁１１の開閉動作は、制御回路２０によって制御される。
【００３８】
なお、本実施例では、ろ布４を浄化する方式として、上述した圧縮空気を噴出させる方式（いわゆる、パルスジェット方式）を用いているが、これに限るものではなく、ろ布４上に集積された粉体層４ａを払い落とすことができるものであれば、いかなる方式を用いてもよい。具体的には、パルスジェット方式の他に、逆風式、振動式、ソニツクジェット式等の各種の方式が用いられる。
【００３９】
次に、本実施例である制御装置（制御回路２０）の動作について、図３を用いて説明する。この図３は、制御回路２０の動作を示すフローチャートである。また、図３のフローチャートに示す動作は、所定の周期で連続して行われる。
【００４０】
図３のステップＳ１において、制御回路２０は、差圧検出器５からの入力を受けて、ろ布４によるろ過前後における排ガスの圧力差（ΔＰ〔ｋＰａ〕）を取得する。ステップＳ２において、制御回路２０は、排ガス量検出器９からの入力を受けて、ろ布４の通過後における排ガス（処理済みのガス）の量（Ｑ〔ｍ３／ｍｉｎ〕）を取得する。
【００４１】
ステップＳ３において、制御回路２０は、ステップＳ１で取得した圧力差（ΔＰ）と、ステップＳ２で取得した排ガス量（Ｑ）とに基づいて、ろ布４（粉体層４ａを含む）における圧損係数（λ）を求める。具体的には、下記（１）式に基づいて、圧損係数（λ）を算出する。
【００４２】
λ＝ΔＰ／Ｖ＝Ｓ・ΔＰ／Ｑ  …（１）
ここで、Ｖは、ろ布４におけるろ過速度〔ｍ／ｍｉｎ〕を示し（図２参照）、Ｓは、ろ布４におけるろ過面積〔ｍ２〕を示す。なお、ろ布４におけるろ過面積（Ｓ）は、一定であるため、排ガス量（Ｑ）を検出することで、ろ布４におけるろ過速度（Ｖ）を検出していることにもなる。
【００４３】
また、ろ布４における圧損係数（λ）は、下記（２）式で表される。
【００４４】
λ＝λ０＋ｋｔ  …（２）
ここで、λ０は、ろ布４自体の圧損係数を示し、ｋは、ろ布４の表面に形成された粉体層４ａにおけるガス抵抗係数を示し、ｔは、粉体層４ａの厚さ〔ｍｍ〕を示す（図２参照）。なお、上記（２）式から明らかなように、粉体層４ａの厚さ（ｔ）が一定の場合には、ろ布４における圧損係数（λ）も一定となる。
【００４５】
ステップＳ４において、制御回路２０は、ステップＳ３で算出された圧損係数（λ）が閾値（λｔｈ）以上であるか否かを判別する。ここで、閾値（λｔｈ）とは、ろ布４において目詰まり状態が発生していると判別できる圧損係数（λ）の値であって、予め設定される値である。
【００４６】
具体的には、粉体層４ａが形成されたろ布４において目詰まりが発生している状態において、このときの圧力差（ΔＰ）及び排ガス量（Ｑ）を測定しておく。そして、この測定された圧力差（ΔＰ）及び排ガス量（Ｑ）を上記（１）式に代入して圧損係数（λ）を求める。このようにして求められた圧損係数（λ）が、上記閾値（λｔｈ）となる。
【００４７】
この閾値（λｔｈ）は、制御回路２０のメモリ２０ａ（図１参照）内に記憶されている。
【００４８】
ステップＳ４において、圧損係数（λ）が閾値（λｔｈ）以上の場合には、ステップＳ５に進む。また、圧損係数（λ）が閾値（λｔｈ）よりも小さい場合には、本フローを終了する。
【００４９】
ステップＳ５では、ろ布４の浄化動作を行う。具体的には、制御回路２０は、電磁弁１１を閉じ状態から開き状態に変化させることにより、空気圧縮器（不図示）からの圧縮空気を、噴射ノズル１０ａを介してろ布４に噴出させる。これにより、ろ布４に付着した粉体層４ａを払い落とすことができる。
【００５０】
上述した処理で示すように、ステップＳ３で算出される圧損係数（λ）が閾値（λｔｈ）以上となるまでは、ろ布４の浄化動作を行わないようにしている。このように、ステップＳ３で算出される圧損係数（λ）が閾値（λｔｈ）に到達するまで、ろ布４の浄化動作を禁止することで、ろ布４の表面に粉体層４ａを形成（保持）させておくことができる。
【００５１】
すなわち、圧損係数（λ）と粉体層４ａの厚さ（ｔ）は、上記（２）式の関係にあり、ステップＳ３で算出される圧損係数（λ）が閾値（λｔｈ）よりも小さい範囲内で変化する限り、ろ布４の表面には、特定の厚さ（ｔ）、言い換えれば、閾値（λｔｈ）よりも小さい圧損係数（λ）に対応した厚さ（ｔ）を有する粉体層４ａが形成されたままとなる。
【００５２】
ここで、粉体層４ａには、未反応の中和剤が含まれているため、この粉体層４ａをろ布４の表面上に保持させておくことで、未反応の中和剤を排ガス中の酸性ガスと反応させることができる。すなわち、従来のろ過式集塵器のように、未反応の中和剤が払い落とされてしまうのを抑制することができ、未反応の中和剤の使用効率を向上させることができる。これにより、サイロ３から不必要に中和剤を供給する必要がなくなる。
【００５３】
また、未反応の中和剤がろ布４上に付着している場合において、排ガス中の酸性ガスとの反応が最も多く行われるため、未反応の中和剤を含む粉体層４ａをろ布４上に保持させておくことで、酸性ガスとの反応効率を向上させることができる。
【００５４】
また、本実施例の制御装置によれば、ろ過式集塵器１に設けられた既存の機器だけを用いることが可能であるため、新たな機器を追加する必要がなく、機器の追加に伴う構成の複雑化やコストアップを防止することができる。
【００５５】
なお、本実施例では、圧損係数（λ）が閾値（λｔｈ）以上であるか否かに応じて、ろ布４の浄化動作を行ったり、禁止したりしているが、この制御動作と、圧力差（ΔＰ）だけに基づくろ布４の浄化動作の制御（従来の制御動作）とを切り換えることができるように構成してもよい。
【００５６】
ここで、従来の制御動作では、差圧検出器５を用いて、ろ布４のろ過前後における圧力差（ΔＰ）を検出し、この検出された圧力差（ΔＰ）が閾値（ΔＰｔｈ）以上か否かを判別する。ここで、閾値（ΔＰｔｈ）とは、通常の状態、すなわち、ろ過式集塵器１に導かれる排ガスの量の変化が概ね無い状態において、ろ布４において目詰まりが発生していると判断できる圧力差である。すなわち、従来のろ過式集塵器の場合と同様に、圧力差（ΔＰ）が閾値（ΔＰｔｈ）に到達した場合には、ろ布４において目詰まりが発生したと判断することができる。
【００５７】
そして、圧力差（ΔＰ）が閾値（ΔＰｔｈ）よりも小さい場合には、ろ布４の浄化動作を行わず、圧力差（ΔＰ）が閾値（ΔＰｔｈ）以上の場合には、ろ布４の浄化動作を行うようにする。
【００５８】
上述した本実施例の制御動作と従来の制御動作との間の切り換えは、自動的に行ってもよいし、作業者の操作入力（例えば、スイッチの操作）によって行うようにしてもよい。
【００５９】
上述した切り換えを自動的に行う場合としては、例えば、導入ダクト２内に、排ガス量の変化を検出する検出器を設けておき、この検出器の検出結果に基づいて、本実施例の制御動作と従来の制御動作とを切り換えることができる。
【００６０】
すなわち、上述したように従来の制御動作では、ろ過式集塵器１内に導入される排ガスの量が増加した場合に、ろ布４の不要な浄化動作を行ってしまうといった不具合が生じてしまうため、ろ過式集塵器１内に導入される排ガスの量を検出し、この検出結果に応じて、従来の制御動作と本実施例の制御動作とを切り換えることができる。
【００６１】
具体的には、導入ダクト２内の排ガス量が極端に増加した場合に、従来の制御動作から本実施例の制御動作に切り換えることができる。また、導入ダクト２内の排ガス量が極端に変化しなくなった場合に、本実施例の制御動作から従来の制御動作に切り換えることができる。なお、導入ダクト２内の排ガス量が極端に増加したか否かの判断は、予め設定した値（排ガス量の変化量）を基準として判断することができる。
【００６２】
本実施例で処理対象とする排ガスは、都市ごみをはじめ産業廃棄物等の可燃性廃棄物の焼却、ガス化、溶融の各種工程から排出される排ガス、スクラップ熔解やアルミ精錬等の各種金属精錬過程で排出される排ガス、さらには各種製造工場、化学工場、発電設備等で排出される排ガスであるが、これに限らず、製造過程等から排出されるガス中の副産物を回収する工程にも採用できる。
【００６３】
また、処理すべき排ガス中において、各種有害物として、ばいじん、ＨＣｌやＳＯｘ等の酸性ガス、窒素酸化物、水銀等の重金属、ダイオキシン類およびその前駆物質等の有機ハロゲン化合物などが含まれていても、本実施例におけるろ過式集塵器を適用することができる。ここで、本実施例では、ろ布４の表面に中和剤を付着させているが、中和剤の他に活性炭等の薬剤を付着させておいてもよく、これにより、有害物を除去することができる。
【図面の簡単な説明】
【００６４】
【図１】本発明におけるろ過式集塵器の構成を示す概略図である。
【図２】ろ布でのろ過を説明するための図である。
【図３】本発明における制御装置の動作を示すフローチャートである。
【符号の説明】
【００６５】
１：ろ過式集塵器
２：導入ダクト
３：サイロ
４：ろ布
４ａ：粉体層
５：差圧検出器
６：排出ダクト
７：吸引器
９：排ガス量検出器
１０：空気供給管
１０ａ：噴射ノズル
１１：電磁弁
２０：制御回路
【図１】
2007268465.tif 000003
【図２】
2007268465.tif 000004
【図３】
2007268465.tif 000005